(57)【特許請求の範囲】
【請求項１】
音声を出力する音声出力部と、被写体を撮像する撮像モードと記録された画像を再生する再生モードとを切り換える操作部材とを有する撮像装置であって、
前記操作部材に前記音声出力部から出力される音声を通過させるための孔を形成し、前記操作部材にて再生モードに切り換えられる際に、前記孔が前記音声出力部の近傍に位置するように、前記操作部材を配置することを特徴とする撮像装置。
【請求項２】
前記撮像装置は撮像素子を有し、前記操作部材にて前記撮像モードに切り換えられる際に、前記孔が前記撮像素子の近傍に位置するように、前記操作部材を配置することを特徴とする請求項１に記載の撮像装置。
【請求項３】
前記操作部材は回転操作によって前記撮像モードと前記再生モードを切り換えることを特徴とする請求項１または２に記載の撮像装置。
【請求項４】
前記操作部材はスライド操作によって前記撮像モードと前記再生モードを切り換えることを特徴とする請求項１または２に記載の撮像装置。
【発明の詳細な説明】
【０００１】
【発明の属する技術分野】
本発明は、音声を出力可能な撮像装置に関するものであって、特に小型化した撮像装置内の限られた空間に、音声出力部を効率的に配置する構成に関するものである。
【０００２】
【従来の技術】
従来、撮像装置など音声を出力する装置において、機器筐体の内壁に固定され音声を外部に出力させるための通過孔が設けられていた。
【０００３】
【発明が解決しようとする課題】
この音声出力部は、空気振動を利用したものであり、通常、円形の固定部に、磁石と空気振動を伝えるための振動板によって構成されているため、外形は、円形が一般的である。また、撮像装置には、撮影モードを変更するための切換え操作部を有しているものがある。この切換え操作部は、回転式で複数の動作モードの切換えを行う切換え操作部が一般的に広く用いられている。ここで述べる切換部とは、撮像装置の電源オン／オフや、動作モードの切換え、複数の記録媒体を使用可能な撮影機器の、撮影媒体の切換えなどであり、使用頻度が高いため、操作しやすい大きさが必要であった。そして、音声出力部と切換え操作部とのそれぞれに対して占有スペースが必要であった。
【０００４】
本発明は、撮像装置の小型化を実現した上で、音声出力部に専用空間を設けることなく装置筐体内に配置することを目的とする。
【０００５】
【課題を解決するための手段】
上述した目的を達成するために、本発明は、音声を出力する音声出力部と、被写体を撮像する撮像モードと記録された画像を再生する再生モードとを切り換える操作部材とを有する撮像装置であって、前記操作部材に前記音声出力部から出力される音声を通過させるための孔を形成し、前記操作部材にて再生モードに切り換えられる際に、前記孔が前記音声出力部の近傍に位置するように、前記操作部材を配置することを特徴とする。
【０００８】
【発明の実施の形態】
以下、添付の図面に沿って本発明の実施の形態を説明する。
【０００９】
図１から図４は本発明の実施の形態を説明する図で、図１は、本実施の形態の撮像装置における動作モード切換えダイアルの要部外観斜視図であり、図２は、動作モード切換えダイアルの断面図である。図３は、動作モード切換えダイアルの要部切り欠き正面図であり、図４は、動作モード切換えダイアル部の外観図である。図５は、撮像装置全体の外観図であり、図６は、撮像装置の構成図である。
【００１０】
図６において、１は音声出力部であるスピーカ、１１は撮像装置の電源オフモードあるいは磁気記録媒体のテープと半導体メモリを有するカードメモリの２種類の撮像媒体を録画モードと再生モードに切換える動作モード切換えダイアル、１２はカメラ部、１３は画像信号を表示するEVFやLCD等の表示部、１４は音声を入力するマイク部、１５は動作モード切換えダイアル１１をロックするロック部材、１６は動作モード切換えダイアル１１の位置を検出するためのモード検出部、１７は撮像装置全体を制御するシステムコントローラ、１８は画像信号と音声信号を格納するバッファメモリ、１９は画像信号および音声信号に対して記録処理及び再生処理を行う記録再生部、２０はテープ等の磁気記録媒体、２１は半導体カードメモリ、２２はカメラ部１２からの出力された画像信号を処理する画像処理部、２３は画像信号を表示部１３に表示するための表示制御部、２４はマイク部１４から入力された音声信号を処理する音声処理部、２５は音声信号を音声としてスピーカ１に出力するための音声制御部である。
【００１１】
はじめに記録動作について説明する。
【００１２】
カメラ部１２で撮像された画像信号は、画像処理部２２に出力され輝度や色相等の画質調整を行ない、調整された画像信号はバッファメモリ１８に記憶される。バッファメモリ１８に記憶された画像信号は表示制御部２２で表示用の信号に変換され表示部１３に表示される。
【００１３】
マイク部１４から入力された音声信号は、音声処理回路２４において利得調整等を行ない、バッファメモリ１８に格納される。ここで、動作モード切換えダイアル１１が「MOVIE」に設定されている場合は、バッファメモリ１８に格納された画像信号と音声信号は記録再生部において記録データとして所定のフォーマットに変換され磁気記録媒体２０に記録される。
【００１４】
一方、動作モード切換えダイアル１１が「CARD REC」に設定されている場合はバッファメモリ１８に格納された画像信号は記録再生部１９において所定の形式に画像信号を変換しカードメモリ２１記録される。
【００１５】
次に再生動作について説明する。
【００１６】
動作モード切換えダイアル１１が「VCR」に設定されている場合は、磁気記録媒体２０に記録された画像信号と音声信号が記録再生部１９によって再生され、再生された画像信号と音声信号はバッファメモリ１８に格納され画像信号は表示制御部２３を介し、表示部１３に出力される。また、音声信号は音声制御部２５を介し、スピーカ１に出力される。
【００１７】
一方、動作モード切換えダイアル１１が「CARD PLAY」に設定されている場合はカードメモリ２１に記録された画像信号が記録再生部１９によって再生され、再生された画像信号はバッファメモリ１８に格納され画像信号は表示制御部２３を介し、表示部１３に出力される。
【００１８】
続いて図１〜５を用いて動作モード切換えダイアル１１の詳細な構造について説明する。回転ダイアル２の内部には、回転ダイアル２で設定可能な状態に対応した位置に、凹部２ａ,２ｂ,２ｃが設けられている。３は、回転ダイアル２の回転軸であり、この回転軸内が中空となっていて、内部にスピーカ１が収納されている。４は、回転軸３を固定する固定地板、５は、回転ダイアル２を覆うダイアルカバーである。ダイアルカバー５の表面には、スピーカ１から、発せられる音声を外部に伝えるための複数の穴が設けられている。
【００１９】
６は、回転ダイアル２を複数の使用位置で、弾性力によって、保持するクリックバネである。このクリックバネ６の先端凸部６ａが回転ダイアル２の内部に設けられた複数の凹部に落ち込んで、クリックバネ６の弾性力によって、回転ダイアル２が回転しないよう保持されている。回転ダイアル２を複数の使用位置から、他の使用位置に回転移動させるときは、クリックバネ６を、弾性変形させて、回転ダイアル２を回転移動可能とする。
【００２０】
７は、回転ダイアル２が撮像装置の電源オフ状態になっているときに、回転ダイアル２の内側に設けられた回転阻止溝２fに係合して、回転ダイアル２の回転を阻止する、ストッパーである。このストッパー７には、固定地板４との間に圧縮バネ８がかけられており、ストッパー７は、この圧縮バネ８によって常に、ダイアル回転中心から、外側方向に、付勢されている。このストッパー７を圧縮バネ８の付勢力に抗して、回転ダイアル２の回転中心方向へ、押し込むことで、ストッパー７の係合軸７ａが、回転阻止溝２ｄから抜けて、回転ダイアル２は、回転可能となる。回転ダイアル２の内部には、電源オフ位置のみ、この回転阻止溝２ｄが設けられているため、他の録画、再生位置では、回転ダイアル２の回転は阻止されない。
【００２１】
９は検出端子であり、回転ダイアル２に熱カシメなどで固定されている。１０は、検出基板で、表面に金メッキなどが施され、検出端子９と配線パターンの導通状態の組み合わせによって、回転ダイアル２の動作モードの設定位置を検出する。
【００２２】
このような構成において、順をおって装置の動作を説明する。まず、図２、及び図３は、回転ダイアル２が、電源オフモードの状態を示している。この状態においてストッパー７を圧縮バネ８の付勢力に抗して、回転ダイアル２の回転中心方向へ押し込む。すると、ストッパー７の係合軸７ａが回転ダイアル２の回転阻止溝２ｄから抜けて、回転ダイアル２が回転可能となる。この状態から、回転ダイアル２をまず反時計回転方向（ＣＣＷ方向）へ回転させようとする。すると、回転ダイアル２の凹部２ａに落ち込んでいるクリックバネ６の先端凸部６ａが、クリックバネ６の弾性力によって、回転ダイアル２の回転が阻止された状態から転ダイアル２の凹部２ａの端部が、クリックバネ６の先端凸部６ａの斜面を押しあげる。これにより、クリックバネ６は弾性変形し、先端凸部６ａが回転中心方向へ逃げ、回転ダイアル２の凹部２ａから抜け出て、回転ダイアル２は回転する。
【００２３】
一定角度回転すると、次の凹部２ｂにクリックバネ６の先端凸部６ａは、落ち込み、撮像装置テープを撮像媒体とするによる録画動作モードとなる。（図４に示す「ＭＯＶＩＥ」位置）さらに、回転ダイアル２をＣＣＷ方向に回転させようとすると、同様に、凹部２ｂの端部が、クリックバネ６の先端凸部６ａの斜面を押上げ、クリックバネ６は、弾性変形して、凹部２ｂから、抜けて、ＣＣＷ方向に回転する。そして、さらに一定角度回転したところで、不図示の凹部に、先端凸部６ａが落ち込みカードを撮像媒体とする録画動作モードとなる。（図４に示す「ＣＡＲＤ  ＲＥＣ」位置）さらに、回転ダイアル２をＣＣＷ方向に、回転ダイアル２を回転させようとすると、回転軸３に設けられた、回転停止壁３ａに、回転ダイアル２の回転停止壁２ｅに突き当たって、これ以上、回転することはできない。
【００２４】
次に、この状態から時計回転方向（ＣＷ方向）に回転ダイアル２を回転させると、不図示の凹部のもう一端の端部がクリックバネ６の先端凸部６ａのもう一方の斜面を押上げ、クリックバネ６を弾性変形させて、先端凸部６ａが不図示の凹部から抜けてＣＷ方向に回転し凹部２ｂに落ち込む。凹部２ｂから凹部２ａへ切換えるときも同様である。凹部２ａに切り換ったとき、つまり、電源オフモードになったときは、ストッパー７の係合軸７ａが回転ダイアル２の回転阻止溝２ｄに圧縮バネ８の力によって落ち込むため、回転ダイアル２の回転は阻止され、本実施例の初期状態に戻る。
【００２５】
これら一連の作動の間、スピーカ１は、固定された回転軸３の内部に設置されているため、回転ダイアル２が、どのような動作をしても、不用な力を受けることはない。
【００２６】
初期状態から、回転ダイアルをＣＷ方向に回転させると、撮像装置は、テープ再生モード、カード再生モードに切換えられる。切換え構造は、テープ録画、カード録画と同様である。
【００２７】
以上説明したように、本願発明の実施の形態によれば、動作モード切換ダイアル１１内に音声を出力するスピーカ１を配置したことによって装置の小型化が達成される。
【００２８】
なお、上述した実施の形態では、動作モード切換ダイアル１１内に音声を出力するスピーカを配置する構成としたが、画像の撮像動作を行う録画モードのときに音声を入力するマイク１４を動作モード切換ダイアル１１内に配置し、ダイアル１１上に音声をマイク１４に入力するための孔を設ける構成としても本願発明の目的は達成される。
【００２９】
（実施の形態の変形例その１）
次に図７−９を用いて本発明における実施の形態の変形例を説明する。
【００３０】
図７は、撮像装置１０１の斜視図である。図７において、撮像装置１０１は、レンズユニット１０２，撮像装置１０１の動作モードを切換える動作モード切換ダイアル１０３，動作モード切換ダイアル１０３の下方に配置され予め不図示の記録媒体に記録された画像を表示するとともに音声情報を再生出力するためのスピーカ１０４，光学像を電気的な信号に変換する撮像素子１０５を有する。また、電子式ビューファインダ１１１は、撮像装置の動作モードが撮像モードのときには撮像素子１０５によって撮像された画像を表示し、予め記録された画像を再生するときにはその再生画像を表示する。
【００３１】
図８は図７の動作モード切換ダイアル１０３に示すａ−ａの断面図である。動作モード切換ダイアル１０３は、外観部材１０６であり、音響及び放熱用の通過孔１０６ａを有している。外観部材１０６を保持する保持部材１０７は、通過孔１０６ａと同様に通過孔１０７ａを有している。通過孔１０６ａおよび１０７ａは、ダイアル１０３の面積のおよそ１／４を示す扇形の部分に存在する。部材１０８は、ダイアル１０３全体を保持する部材で通過孔１０８ａを有している。
【００３２】
ツマミ１０９はダイアル１０３の位置を決定する為のツマミであり、ダイアル１０３を正位置に戻すバネ１１０によって操作ツマミの各モードの位置の決定を行う。また、ツマミ１０９は各動作モードの位置を示す指標の役割も担う。また、保持部材１１２はスピーカ１０４を保持する。図８に示すように、動作モード切換ダイアル１０３の下方には、スピーカ１０４と撮像素子１０５が配置されている。
【００３３】
この図８に示す構造によると、撮像装置１０１の動作モードの切換動作に応じてダイアル１０３の通過孔１０６ａ，１０７ａが移動する。具体的には、撮像動作を行う撮像モードのときには、通過孔１０６ａ，１０７ａは撮像素子１０５側に移動し、撮像素子１０５から発生する熱を外部に逃がす。また、画像および音声の再生動作を行う再生モードのときには、通過孔１０６ａ，１０７ａはスピーカ１０４側に移動し、スピーカから出力される音声を外部に伝達させる。
【００３４】
図９ａ〜ｃは、スピーカ１０４と撮像素子１０５とに対する撮像装置１０１の各動作モードにおける動作モード切換ダイアル１０３の通過孔１０６ａの位置関係を示す図である。
【００３５】
図９ａ〜ｃにおいて、指標１２２は、ツマミ１０９がその位置を示すとき、撮像装置１０１本体が電源OFFとなることを示す指標である。また、指標１２６は、撮像装置１０１の動作モードが撮像素子１０５を駆動させて被写体を撮像する撮像動作モードとなることを示す指標である。また、指標１２７は、撮像装置１０１の動作モードが不図示の記録媒体に記録された画像を電子式ビューファインダ１１１上に再生表示し、スピーカ１０４から記録媒体に記録された音声を再生する再生動作モードであることを示す指標である。
【００３６】
図９ａは、撮像装置１０１が電源ＯＦＦのときの通過孔１０６ａの位置を示している。撮像装置１０１が電源ＯＦＦの場合、スピーカ１０４および撮像素子１０５のいずれにもゴミが侵入しないような位置に移動している。
【００３７】
図９ｂは、撮像装置１０１の動作モードが撮像動作モードのときの通過孔１０６ａの位置を示している。通過孔１０６ａはダイアル１０３回転動作によって撮像動作モードのときに動作する撮像素子１０５の上方に移動する。そして、撮像素子１０５から放射される熱を外部に放熱する。
【００３８】
図９ｃは、撮像装置１０１の動作モードが再生動作モードのときの通過孔１０６ａの位置を示している。通過孔１０６ａはダイアル１０３の回転動作によって再生動作モードのときにスピーカ１０４から出力される音声を外部に伝達させる。
【００３９】
（実施の形態の変形例その２）
次に図１０−１２を用いて本発明における実施の形態の更なる変形例を説明する。本実施例は、図７に示す撮像装置の回転式の動作モード切換ダイアル１０３に替わるものとしてスライド式の動作モード切換スイッチ１３３にしたものである。なお、図１０−１２において、図７−９に同じ符号を示したものは同様の構成であるものとしてその説明を省略する。
【００４０】
図１０は、撮像装置１０１の斜視図であり、図１１は、スライド式の動作モード切換スイッチ１３３の断面（図１０のb−ｂ）図である。図１０，１１に示すように、スライド式の動作モード切換スイッチ１３３はスピーカ１０４および撮像素子１０５の上方に配置されている。動作モード切換スイッチ１３３は、外観部材１３６であり、音響及び放熱用の通過孔１３６ａを有している。外観部材１３６を保持する保持部材１３７は、通過孔１３６ａと同様に通過孔１３７ａを有している。部材１３８は、ダイアル１３３全体を保持する部材で通過孔１３８ａを有している。
【００４１】
この図１０，図１１に示す構造によると、撮像装置１０１の動作モードの切換動作に応じてダイアル１０３の通過孔１０６ａ，１０７ａが移動する。具体的には、撮像動作を行う撮像モードのときには、通過孔１０６ａ，１０７ａは撮像素子１０５側に移動し、撮像素子１０５から発生する熱を外部に逃がす。また、画像の再生動作を行う再生モードのときには、通過孔１０６ａ，１０７ａはスピーカ１０４側に移動し、スピーカから出力される音声を外部に伝達させる。
【００４２】
図１２ａ〜ｃは、スピーカ１０４と撮像素子１０５とに対する撮像装置１０１の各動作モードにおける動作モード切換スイッチ１３３の通過孔１３６ａの位置関係を示す図である。
【００４３】
図１２ａ〜ｃにおいて、ツマミ１５１は各動作モードの位置を示す。また、指標１５２は、ツマミ１５１がその位置を示すとき、撮像装置１０１本体が電源OFFとなることを示す指標である。また、指標１５３は、撮像装置１０１の動作モードが撮像素子１０５を駆動させて被写体を撮像する撮像動作モードとなることを示す指標である。また、指標１５４は、撮像装置１０１の動作モードが不図示の記録媒体に記録された画像および音声を再生する再生動作モードであることを示す指標である。
【００４４】
図１２ａは、撮像装置１０１が電源ＯＦＦのときの通過孔１３６ａの位置を示している。撮像装置１０１が電源ＯＦＦの場合、スピーカ１０４および撮像素子１０５のいずれにもゴミが侵入しないような位置にスライド移動している。
【００４５】
図１２ｂは、撮像装置１０１の動作モードが撮像動作モードのときの通過孔１３６ａの位置を示している。通過孔１３６ａはスイッチ１３３スライド動作によって撮像動作モードのときに動作する撮像素子１０５の上方に移動する。そして、撮像素子１０５から放射される熱を外部に放熱する。
【００４６】
図１２ｃは、撮像装置１０１の動作モードが電子式ビューファインダ１１１上に画像を再生表示する再生動作モードのときの通過孔１３６ａの位置を示している。通過孔１３６ａはスイッチ１３３のスライド動作によって再生動作モードのときにスピーカ１０４から出力される音声を外部に伝達させる。
【００４７】
以上説明したように、本願発明における実施の形態の変形例によれば、ダイアル１０３あるいはスイッチ１３３を操作して撮像装置が撮像動作モードとなったときは撮像素子から発生する熱を逃がすように撮像素子の近傍にダイアル１０３あるいはスイッチ１３３が有する通過孔が移動する。また、ダイアル１０３あるいはスイッチ１３３を操作して撮像装置が画像及び音声を再生する再生モードとなったときはスピーカから出力される音声を外部に伝達するようにスピーカの近傍にダイアル１０３あるいはスイッチ１３３が有する通過孔が移動することになる。
【００４８】
【発明の効果】
以上説明したように、本発明によれば、操作部材に音声出力部から出力される音声を通過させるための孔を形成するとともに、操作部材にて再生モードに切り換えられる際に、孔が音声出力部の近傍に位置するように、操作部材を配置することによって、音声出力部と操作部材とを撮像装置に効率よく配置することができ、操作性のよい大きな操作部材を採用しても、撮像装置が大型化することがない。
【図面の簡単な説明】
【図１】本実施の形態の撮像装置における動作モード切換えダイアルの要部外観斜視図。
【図２】本実施の形態の撮像装置における動作モード切換えダイアルの断面図。
【図３】本実施の形態の撮像装置における動作モード切換えダイアルの要部切り欠き正面図。
【図４】本実施の形態の撮像装置における動作モード切換えダイアル部の外観図。
【図５】本実施の形態の撮像装置における全体の外観図。
【図６】本実施の形態の撮像装置における構成図。
【図７】本実施の形態の撮像装置における全体の外観図。
【図８】本実施の形態の撮像装置における動作モード切換えダイアルの断面図。
【図９】本実施の形態の撮像装置における動作モード切換えダイアルの各動作モード時の回転位置を示す図。
【図１０】本実施の形態の撮像装置における全体の外観図。
【図１１】本実施の形態の撮像装置における動作モード切換えスイッチの断面図。
【図１２】本実施の形態の撮像装置における動作モード切換えスイッチの各動作モード時のスライド位置を示す図。
【符号の説明】
１  スピーカ
２  回転ダイアル
３  回転軸
４  固定地板
５  ダイアルカバー
６  クリックバネ
７  ストッパー
８  圧縮バネ
９  検出端子
１０  検出基板
１１  動作モード切換えダイアル
１２  カメラ部
１３  表示部
１４  マイク部
１５  ロック部
１６  モード検出部
１７  システムコントローラ
１８  バッファメモリ
１９  記録再生部
２０  磁気記録媒体
２１  カードメモリ
２２  画像処理部
２３  表示制御部
２４  音声処理部
２５  音声制御部
１０３  動作モード切換えダイアル
１０４  スピーカ
１０５  撮像素子
１１１  電子式ビューファインダ
１１３  動作モード切換スイッチ
【図１】
0003919476.tif 000002
【図２】
0003919476.tif 000003
【図３】
0003919476.tif 000004
【図４】
0003919476.tif 000005
【図５】
0003919476.tif 000006
【図６】
0003919476.tif 000007
【図７】
0003919476.tif 000008
【図８】
0003919476.tif 000009
【図９】
0003919476.tif 000010
【図１０】
0003919476.tif 000011
【図１１】
0003919476.tif 000012
【図１２】
0003919476.tif 000013